【事件の表示】
　特願２００５−２４４９４１「情報提供システム及びリモートデータベース」拒絶査定不服審判事件〔平成１８年　３月１６日出願公開、特開２００６−　７３１８５〕について、次のとおり審決する。
【結　論】
　本件審判の請求は、成り立たない。
【理　由】
第１　手続の経緯　
 　本件審判の請求に係る特許出願（以下「本願」という。）は、平成８年７月２日（パリ条約による優先権主張平成７年７月２６日　米国）に出願した特願平８−５３５１９９号の一部を平成１７年８月２５日に新たな特許出願としたものであって、平成１８年４月２０日付け拒絶理由通知に対して、平成１８年７月２５日付けで手続補正がなされたが、平成１８年９月１４日付けで拒絶の査定がなされ、これに対し、平成１８年１２月１５日付けで拒絶査定不服審判が請求されるとともに、平成１９年１月１５日付けで手続補正がなされたものである。　
　
 第２　平成１９年１月１５日付け手続補正についての補正却下の決定　
　
［補正却下の決定の結論］　
　平成１９年１月１５日付けの手続補正を却下する。　
　
［理　由］　
１．手続補正の内容　
　平成１９年１月１５日付けの手続補正（以下「本件補正」という。）は、
特許請求の範囲及び発明の詳細な説明についてするもので、特許請求の範囲については、本件補正前に　
「【請求項１】　
　コンパクトディスクから読み取られたＴＯＣ（Table of the Contents）に基づくデータを独自に識別するために用いることができる識別情報を、インターネット上のリモートデータベースに照会する手段と、上記リモートデータベースからダウンロードした上記識別情報に対応する上記コンパクトディスクに記憶される複数のトラックのタイトルを含む関連情報を記憶する記憶手段とを有する情報取得装置と、　
　複数の識別情報と各識別情報に対応する関連情報とをそれぞれ関連付けて格納するとともに、上記情報取得装置から照会された上記識別情報に対応する上記コンパクトディスクに関連する複数トラックのタイトルを含む関連情報を上記情報取得装置に提供する上記リモートデータベースと　
からなることを特徴とする情報提供システム。　
　　【請求項２】　
　上記コンパクトディスクは、音楽を格納したものであって、上記コンパクトディスクから読み取られたデータは、上記音楽のデータサンプルであることを特徴とする請求項１記載の情報提供システム。　
　　【請求項３】　
　上記関連情報は、少なくとも上記コンパクトディスクのタイトル名とアーティスト名を含むことを特徴とする請求項１記載の情報提供システム。　
　　【請求項４】　
　上記情報取得装置は、利用者が選択可能なメニューとともに、上記ダウンロードされ、上記記憶手段に記憶された関連情報をリストとして表示手段に表示することを特徴とする請求項１記載の情報提供システム。　
　　【請求項５】　
　上記情報取得装置は、上記ダウンロードされ上記記憶手段に記憶された関連情報を用いて、利用者が再生リストの編集を行うことを可能にするためのユーザインタフェースを提供することを特徴とする請求項１記載の情報提供システム。　
　　【請求項６】　
　上記ユーザインタフェースは、上記ダウンロードされ上記記憶手段に記憶された関連情報を用いて、利用者がキーワード検索を行い、検索結果としてトラックのリストを表示することを可能にすることを特徴とする請求項５記載の情報提供システム。　
　　【請求項７】　
　上記ユーザインタフェースは、利用者が上記キーワード検索の検索結果から選択した所望のトラックを再生リストに追加することを可能にすることを特徴とする請求項６記載の情報提供システム。　
　　【請求項８】　
　上記情報取得装置は、上記記憶手段に上記関連情報を記憶しているときに、上記コンパクトディスクに記憶されるトラックを再生可能とすることを特徴とする請求項１記載の情報提供システム。　
　　【請求項９】　
　上記情報取得装置は、利用者が手動で情報入力を可能とされていることを特徴とする請求項１記載の情報提供システム。　
　　【請求項１０】　
　上記情報取得装置は、上記リモートデータベースへの照会をディフォルトとすることが可能であることを特徴とする請求項９記載の情報提供システム。　
　　【請求項１１】　
　上記情報取得装置は、上記識別情報に対応するコンパクトディスクが複数存在するとき、利用者が選択可能であることを特徴とする請求項１記載の情報提供システム。　
　　【請求項１２】　
　上記リモートデータベースは、上記識別情報に対応する照会データが維持されるように最大レベルで維持管理されていることを特徴とする請求項１記載の情報提供システム。　
　　【請求項１３】　
　上記リモートデータベースは、更に、上記識別情報に対応する作曲家、プロデューサ、レコードレーベルのうちの少なくとも一つを有するフラットフィールドデータベースであることを特徴とする請求項１記載の情報提供システム。　
　　【請求項１４】　
　上記リモートデータベースは、更に、上記識別情報に対応する作曲家、プロデューサ、レコードレーベルのうちの少なくとも一つを有するリレーショナルデータベースであることを特徴とする請求項１記載の情報提供システム。　
　　【請求項１５】  　
　インターネット上のリモートデータベースであって、　
　複数の識別情報と各識別情報に対応する関連情報とをそれぞれ関連付けて格納し、　
　コンパクトディスクに記憶される複数のトラックのタイトルを含む関連情報を記憶する記憶手段を有する情報取得装置から、上記コンパクトディスクから読み取られたＴＯＣ（Table of the Contents）に基づくデータを独自に識別するために用いることができる識別情報による照会を受けたとき、　
　上記情報取得装置に、上記記憶手段にダウンロードされる情報として、上記紹介された識別情報に対応する上記コンパクトディスクに関連する複数トラックのタイトルを含む関連情報を提供する　
　ことを特徴とするリモートデータベース。　
　　【請求項１６】　
　上記コンパクトディスクは、音楽を格納したものであって、上記コンパクトディスクから読み取られたデータは、上記音楽のデータサンプルであることを特徴とする請求項１５記載のリモートデータベース。　
　　【請求項１７】　
　上記関連情報は、少なくとも上記コンパクトディスクのタイトル名とアーティスト名を含むことを特徴とする請求項１５記載のリモートデータベース。　
　　【請求項１８】　
　当該リモートデータベースは、上記識別情報に対応する照会データが維持されるように最大レベルで維持管理されていることを特徴とする請求項１５記載のリモートデータベース。　
　　【請求項１９】　
　当該リモートデータベースは、更に、上記識別情報に対応する作曲家、プロデューサ、レコードレーベルのうちの少なくとも一つを有するフラットフィールドデータベースであることを特徴とする請求項１５記載のリモートデータベース。　
　　【請求項２０】　
　当該リモートデータベースは、更に、上記識別情報に対応する作曲家、プロデューサ、レコードレーベルのうちの少なくとも一つを有するリレーショナルデータベースであることを特徴とする請求項１５記載のリモートデータベース。」　
 とあったものを、　
　
「【請求項１】　
　コンパクトディスクから読み取られたＴＯＣ（Table of the Contents）に基づく
、当該コンパクトディスク
、当該コンパクトディスクのタイトル、及びアーティスト名
　複数の識別情報と各識別情報に対応する関連情報とをそれぞれ関連付けて格納するとともに、上記情報取得装置から照会された上記識別情報に対応する上記コンパクトディスクに関連する複数トラックのタイトル
、当該コンパクトディスクのタイトル、及びアーティスト名
　　【請求項２】　
　上記コンパクトディスクは、音楽を格納したものであって、上記コンパクトディスクから読み取られたデータは、上記音楽のデータサンプルであることを特徴とする請求項１記載の情報提供システム。　
　　【請求項３】　
　上記情報取得装置は、利用者が選択可能なメニューとともに、上記ダウンロードされ、上記記憶手段に記憶された関連情報をリストとして表示手段に表示することを特徴とする請求項１記載の情報提供システム。　
　　【請求項４】　
　上記情報取得装置は、上記ダウンロードされ上記記憶手段に記憶された関連情報を用いて、利用者が再生リストの編集を行うことを可能にするためのユーザインタフェースを提供することを特徴とする請求項１記載の情報提供システム。　
　　【請求項５】　
　上記ユーザインタフェースは、上記ダウンロードされ上記記憶手段に記憶された関連情報を用いて、利用者がキーワード検索を行い、検索結果としてトラックのリストを表示することを可能にすることを特徴とする
請求項４
　　【請求項６】　
　上記ユーザインタフェースは、利用者が上記キーワード検索の検索結果から選択した所望のトラックを再生リストに追加することを可能にすることを特徴とする
請求項５
　　【請求項７】　
　上記情報取得装置は、上記記憶手段に上記関連情報を記憶しているときに、上記コンパクトディスクに記憶されるトラックを再生可能とすることを特徴とする請求項１記載の情報提供システム。　
　　【請求項８】　
　上記情報取得装置は、利用者が手動で情報入力を可能とされていることを特徴とする請求項１記載の情報提供システム。　
　　【請求項９】　
　上記情報取得装置は、上記リモートデータベースへの照会をディフォルトとすることが可能であることを特徴とする
請求項８
　　【請求項１０】　
　上記情報取得装置は、上記識別情報に対応するコンパクトディスクが複数存在するとき、利用者が選択可能であることを特徴とする請求項１記載の情報提供システム。　
　　【請求項１１】　
　上記リモートデータベースは、上記識別情報に対応する照会データが維持されるように最大レベルで維持管理されていることを特徴とする請求項１記載の情報提供システム。　
　　【請求項１２】　
　上記リモートデータベースは、更に、上記識別情報に対応する作曲家、プロデューサ、レコードレーベルのうちの少なくとも一つを有するフラットフィールドデータベースであることを特徴とする請求項１記載の情報提供システム。　
　　【請求項１３】　
　上記リモートデータベースは、更に、上記識別情報に対応する作曲家、プロデューサ、レコードレーベルのうちの少なくとも一つを有するリレーショナルデータベースであることを特徴とする請求項１記載の情報提供システム。　
　　【請求項１４】　
　インターネット上のリモートデータベースであって、　
　複数の識別情報と各識別情報に対応する関連情報とをそれぞれ関連付けて格納し、　
　コンパクトディスクに記憶される複数のトラックのタイトルを含む関連情報を記憶する記憶手段を有する情報取得装置から、上記コンパクトディスクから読み取られたＴＯＣ（Table of the Contents）に基づく
、当該コンパクトディスク
　上記情報取得装置に、上記記憶手段にダウンロードされる情報として、上記紹介された識別情報に対応する上記コンパクトディスクに関連する複数トラックのタイトル
、当該コンパクトディスクのタイトル、及びアーティスト名
　ことを特徴とするリモートデータベース。　
　　【請求項１５】　
　上記コンパクトディスクは、音楽を格納したものであって、上記コンパクトディスクから読み取られたデータは、上記音楽のデータサンプルであることを特徴とする請求項１５記載のリモートデータベース。　
　　【請求項１６】　
　当該リモートデータベースは、上記識別情報に対応する照会データが維持されるように最大レベルで維持管理されていることを特徴とする
請求項１４
　　【請求項１７】　
　当該リモートデータベースは、更に、上記識別情報に対応する作曲家、プロデューサ、レコードレーベルのうちの少なくとも一つを有するフラットフィールドデータベースであることを特徴とす
る請求項１４
　　【請求項１８】　
　当該リモートデータベースは、更に、上記識別情報に対応する作曲家、プロデューサ、レコードレーベルのうちの少なくとも一つを有するリレーショナルデータベースであることを特徴とする
請求項１４
　
　と、本件補正前の請求項３、請求項１７を削除し、本件補正前の請求項１、請求項１４に上記削除した各請求項の「関連情報」が「
コンパクトディスクのタイトル、及びアーティスト名
コンパクトディスク
　
　すると、本件補正後の請求項１についてみれば本件補正前の請求項１を補正して「識別情報」を「コンパクトディスクを独自に識別するために用いることができる識別情報」と限定するとともに、「関連情報」を「コンパクトディスクのタイトル、及びアーティスト名を含む関連情報」と限定するものとなるから、平成１８年改正前特許法第１７条の２第４項第２号に掲げる特許請求の範囲の減縮を目的とするものである。　
　
　そこで、本件補正における特許請求の範囲の請求項１に記載されている事項により特定される発明（以下「本願補正発明」という。）が特許出願の際独立して特許を受けることができるものであるか（平成１８年改正前特許法第１７条の２第５項において準用する同法第１２６第５項に規定する要件を満たすか）否かについて、以下検討する。　
　
２．刊行物及びその記載　
　原査定の拒絶の理由に引用された、本願出願前に頒布された刊行物である特開平４−１７２６８１号公報（以下「刊行物１」という。）には、ディスク再生方法として図面とともに以下の技術事項が記載されている。（なお、下線は当審で付与した。）　
  　
（１）「
主情報及びディスク識別情報を記憶した第１のディスクを走査してディスク識別情報を再生するステップと、
　
前記識別情報と共に前記第１のディスクに関連した付加情報を複数組記憶した第２のディスクを走査するステップと、
　
前記第１のディスクの再生よって得られた識別情報に基づき、この識別情報に対応した付加情報を前記第２のディスクから検索するステップと、
　
かかる識別情報と付加情報を関連付けてメモリに記憶するステップと、
　
前記第１のディスクを走査して前記主情報及びディスク識別情報を再生するステップと、
　
再生された識別情報に対応する付加情報を前記メモリから読み出し再生するステップと、
を有することを特徴とするディスク再生方法。
　
（２）「（ヘ）実施例　
　以下、本発明の実施例につき図面を用いて説明する。第１図に実施例の外観斜視図を示す。図において、１０は本体キャビネット、１１はフロントパネル、１２は入力部の一部を構成する操作ボタン部、１３及び１４は表示部の一部を構成する表示パネル及びモニタ、１５はディスクの着脱を行うトレー、１６はスピーカである。尚、本実施例に係る内部回路の回路ブロック図は、従来例で示した第８図と同様に表わされ、コントローラ４の機能のみ相違している。　
　第２図及び第３図は、コントローラ４の動作を示すフローチャートである。以下、フローチャートを用いて実施例の動作を示す。　
　まず、付加情報の入力について第２図を用いて説明する。操作ボタン部１２を操作してプレーヤに付加情報の登録指令がなされると、変数ｎに１が設定される（ステップ１）。同時にプレーヤからＣＤ（コンパクトディスク）装着指令が発せられる（ステップ２）。かかる指令は、表示パネル１３あるいはモニタ１４を用いて視覚的に行われても良いし、スピーカを用いて聴覚的に行っても良い。その後、付加情報の登録を行うべきＣＤが複数の場合、プレーヤに対し全てのＣＤの設定が終了したか否かが判別される（ステップ３）。これは、ユーザが操作ボタン部１２の設定解除ボタンを操作したか否かによって判別される。設定解除がなかった場合には、ＣＤが装着されたか否かが判別される（ステップ４）。
ＣＤが装着されると、次にＣＤからＴＯＣが読み出され、付加情報の検索データであるＴＯＣデータが作成される。
ＣＤのＴＯＣの内、最大演奏時間は、他のディスクとは滅多に一致せず、そのディスクに固有のものである。従って、この最大演奏時間をもって、ＣＤを他のＣＤに対して識別することができる。さらに、この最大演奏時間に最大曲番号を組み合わせてると、ディスクの識別精度をより向上させることができる。本実施例では、この最大演奏時間と最大曲番号を組み合わせたデータを、ディスク識別のためのＴＯＣデータとしている。
　
このようにしてＴＯＣデータが作成されると、次にこのデータがメモリ１にすでに記憶されていないかどうかが識別され（ステップ６）、記憶されていなければこれをメモリ１のアドレスｎに記憶する（ステップ７）。
　以上、ステップ１〜ステップ８においては、ＣＤがプレーヤに装着されるごとに、そのＴＯＣデータを、メモリ１に順番に記憶せしめる。この際、同じディスクが重複して装着されても、ステップ６の判断により、そのＴＯＣデータが重複してメモリ１に記憶されることはない。　
　プレーヤに対して、全てのディスクの設定が終了すると、ユーザは、操作ボタン１２の設定解除ボタンを押す。かかる動作は、ステップ３において判別される。　
　
このようにしてＣＤの設定解除がなされると、次にＣＤ−ＲＯＭディスク（ＣＤ−ＲＯＭ）の装着指令がなされる（ステップ９）。尚、ＣＤ−ＲＯＭには、上記ＴＯＣデータによって識別できるような形態で、無数のＣＤの付加情報が記録されている。
　
その後、ＣＤ−ＲＯＭが装着されると（ステップ１０）、変数ｍに１が設定され（ステップ１１）、メモリ１のアドレスｍからＴＯＣデータが読み出される（ステップ１２）。かかるＴＯＣデータは、すでにメモリ２に記憶されている付加情報識別のためのＴＯＣデータと比較され（ステップ１３）、未だメモリ２に記憶されていない場合には、ＣＤ−ＲＯＭから、対応する付加情報が検索される（ステップ１４）。
　
このようにして検索された付加情報は、ＴＯＣデータとともにメモリ２に記憶される（ステップ１５）。
　かかる動作は、変数ｍが変数ｎに一致するまで、即ち、ステップ１〜８において設定された全てのディスクに対する付加情報がＣＤ−ＲＯＭから読み出されてメモリ２に記憶される間で繰り返される。そして、かかる記憶動作が終了し、ステップ１７においてＮＯと判別されると、付加情報の登録が終了される。　
　かかる実施例では、付加情報の登録を、登録した、ＣＤの交換とＣＤ−ＲＯＭの装着のみによって行える。　
　
次に、ＣＤの再生動作を第４図に示すフローチャートを用いて説明する。ＣＤがプレーヤに装着されると、まずＴＯＣがＣＤから読み出され、こらがメモリに記憶される（ステップ１，２，３）。しかる後、プレーヤに再生指令がなされると、所定の再生動作が実行される（ステップ４，５）。そして、読み出されたＴＯＣに基づき、上記ＴＯＣデータが作成され、このＴＯＣデータに基づきメモリ２から付加情報が読み出される（ステップ６）。メモリ２から読み出された付加情報は、モニタ１４に映出される（ステップ７）。付加情報の映出例を第５図に示す。
　
（３）第５図には、付加情報として、アルバムタイトル、アーティスト、トラックのタイトルからなる情報をそれぞれ表示することが記載されている。
　
　上記摘示事項を、図面とともに総合整理すると、刊行物１には次の発明が記載されているものと認める。　
「ＣＤからＴＯＣを読み出し、付加情報の検索データであるディスク識別のためのＴＯＣデータを作成し、
　前記ＴＯＣデータと共に前記ＣＤに関連した付加情報を複数記憶したＣＤ−ＲＯＭを走査し、　
　ＣＤからＴＯＣを読みだすことによって作成されたＴＯＣデータに基づき、このＴＯＣデータに対応した付加情報を前記ＣＤ−ＲＯＭから検索し、　
　かかるＴＯＣデータと付加情報を関連づけてメモリに記憶し、　
　再生時に、ＴＯＣデータに基づきメモリから付加情報を読み出し、アルバムタイトル、アーティスト、トラックのタイトルからなる付加情報をモニタに映出する　
　ディスク再生装置」（以下「刊行物１発明」という。）　
　
 　また、同じく、原査定の拒絶の理由で引用された刊行物である特開平２−２４９１８７号公報（以下「刊行物２」という。）には、カラオケシステムとして、具体的に、図面とともに以下の記載がある。　
　
（４）「次に、上記実施例の動作を第２図に示したフローチャートに基づいて説明すると、入力装置４によって希望するカラオケ曲の識別コードを入力すれば、ＣＰＵ３が作動してドライブ２を制御し、ＣＤ−ＲＡＭ１の中から識別コードの付されたカラオケデータ本体を取り出し、ＣＰＵ３の内蔵ＲＡＭにセーブし、シーケンサ５に出力する。その内、文字情報についてはシーケンサ５からの順次出力に応じて表示装置６に歌詞表示が行われる。　
また、音楽情報はやはりシーケンサ５で順次処理をされたのちに再生装置１０でアナログ処理をされてスピーカ９から音楽として再生される。　
　ところで、
ＣＰＵ３によってＣＤ−ＲＡＭ１を検索しても入力された識別コードが見当たらなかった場合（ＮＯ）は、ＣＰＵ３が直ちに公衆回線１２を通じてホストコンピュータ１１に希望のカラオケデータの送信を要求する。これによって要求されたカラオケデータはダウンロードされ、ＣＤ−ＲＡＭ１にセーブされた後、上述と同様に表示装置６に歌詞表示が、再生装置１０からは音楽再生が行われるのである。
　
（５）「
さらに、光ディスクに収録されていない情報で、必要な情報に関しては、ホストコンピュータをデータベースとしてこれからダウンロードさせるこができるなど、利用範囲が大変広いカラオケシステムを提供することができた。
　
３．対比　
（ａ）刊行物１発明の「ＴＯＣデータ」は、ＴＯＣに基づいて作成されたディスクを識別するためのデータであるから、本願補正発明の「コンパクトディスクから読み取られたＴＯＣ（Table of the Contents）に基づく、当該コンパクトディスクを独自に識別するために用いることができる識別情報」に相当する。　
（ｂ）刊行物１発明の「ＣＤ−ＲＯＭ」は「ＴＯＣデータと共に前記ＣＤに関連した付加情報」が記録されており、本願補正発明の「データベース」に対応する。　
（ｃ）刊行物１発明の「ＴＯＣデータに基づきメモリから付加情報を読み出し、アルバムタイトル、アーティスト、トラックのタイトルからなる付加情報をモニタに映出」であるが、「付加情報」に「アルバムタイトル、アーティスト、トラックのタイトル」が含まれることは自明である。また、刊行物１発明は「ＴＯＣデータに基づき、このＴＯＣデータに対応した付加情報をＣＤ−ＲＯＭから検索」する機能と、「ＴＯＣデータ」と、「アルバムタイトル、アーティスト、トラックに対応するタイトル」を含むデータである「付加情報」を関連づけてメモリに記憶する機能を備えていることから、「コンパクトディスクから読み取られたＴＯＣ（Table of the Contents）に基づく、当該コンパクトディスクを独自に識別するために用いることができる識別情報を、データベースに照会する手段と、上記データベースからダウンロードした上記識別情報に対応する上記コンパクトディスクに記憶される複数のトラックのタイトル、当該コンパクトディスクのタイトル、及びアーティスト名を含む関連情報を記憶する記憶手段とを有する」もので、これは、本願補正発明の「情報取得装置」と共通する。　
（ｄ）刊行物１発明の「ＣＤ−ＲＯＭ」は「ＴＯＣデータと」「アルバムタイトル、アーティスト、トラックに対応するタイトル」を含むデータである「付加情報」を記憶すると共に、検索要求に応じて「ＴＯＣデータに対応した付加情報」を提供することから、「複数の識別情報と各識別情報に対応する関連情報とをそれぞれ関連付けて格納するとともに、上記情報取得装置から照会された上記識別情報に対応する上記コンパクトディスクに関連する複数トラックのタイトル、当該コンパクトディスクのタイトル、及びアーティスト名を含む関連情報を上記情報取得装置に提供する」もので、これは、本願補正発明の「データベース」と共通する。　
（ｅ）刊行物１発明の「ディスク再生装置」は、「付加情報をモニタに映出する」ことにより、付加情報をユーザに提供するものであり、本願補正発明の「情報提供システム」に対応する。　
　
　したがって、本願補正発明と刊行物１発明との［一致点］及び［相違点］は以下のとおりである。　
［一致点］　
 「コンパクトディスクから読み取られたＴＯＣ（Table of the Contents）に基づく、当該コンパクトディスクを独自に識別するために用いることができる識別情報を、データベースに照会する手段と、上記データベースからダウンロードした上記識別情報に対応する上記コンパクトディスクに記憶される複数のトラックのタイトル、当該コンパクトディスクのタイトル、及びアーティスト名を含む関連情報を記憶する記憶手段とを有する情報取得装置と、　
　複数の識別情報と各識別情報に対応する関連情報とをそれぞれ関連付けて格納するとともに、上記情報取得装置から照会された上記識別情報に対応する上記コンパクトディスクに関連する複数トラックのタイトル、当該コンパクトディスクのタイトル、及びアーティスト名を含む関連情報を上記情報取得装置に提供する上記データベースと　
からなる情報提供システム。」の点。　
  　
［相違点］　
　本願補正発明では「データベース」が「インターネット上のリモートデーベース」であるのに対して、刊行物１発明ではそのような特定がされていない点。　
　
 ４．判断　
　上記相違点について検討する。　
　刊行物２には、ローカルディスクに識別コードが存在しなかった場合に、識別コードに対応するデータを公衆回線を通じてホストコンピュータ上のデータベースから検索してダウンロードし、ローカルディスクに保存することが記載されている。そして、刊行物２は、識別情報に対応するデータをデータベースから取得するものである点で刊行物１発明と共通するものである。
　したがって、刊行物１発明においても、識別コードに対応するデータを検索するためのデータベースをネットワークを介したホストコンピュータ上のリモートデータベースとすることは当業者が容易に想到しうることである。そして、その際、ネットワークとしてインターネットを利用することも適宜なしうる程度のことである。　
　
　そして、上記相違点についての判断を総合しても本願補正発明の奏する効果は、各刊行物から当業者が十分予測可能なもので格別のものではない。　
　
　したがって、本願補正発明は、上記刊行物１に記載された発明に刊行物２を組合せることで当業者が容易に発明をすることができたものである。　
　
５．本件補正についての結び　
　以上のとおり、本願補正発明は、特許法第２９条第２項の規定により、特許出願の際独立して特許を受けることができないものであるから、本件補正は、平成１８年改正前特許法第１７条の２第５項で準用する同法第１２６条第５項に規定する要件を満たさないものであり、特許法第１５９条第１項で読み替えて準用する同法第５３条第１項の規定により却下すべきものである。　
　
 第３　本願発明について  　
１．本願発明　
　平成１９年１月１５日付けの手続補正は上記のとおり却下されたので、本願の請求項１乃至２０に係る発明は、平成１８年７月２５日付け手続補正書により補正された明細書の特許請求の範囲の請求項１乃至２０に記載された事項により特定されるとおりのものであるところ、請求項１に係る発明（以下「本願発明」）は、「第２［理由］１．」に本件補正前の請求項１として記載したとおりのものである。　
　
２．刊行物及びその記載　
　原査定の拒絶の理由で引用された刊行物及びその記載事項は、前記「第２［理由］２．」に記載したとおりである。　
　
３．対比・判断　
　本願発明は、上記「第２［理由］」で検討した本願補正発明の「識別情報」が「コンパクトディスクを独自に識別するために用いることができる識別情報」である点に関する限定と、「関連情報」が「コンパクトディスクのタイトル、及びアーティスト名を含む関連情報」である点に関する限定を除いたものに相当する。　
　
　そうすると、本願発明の構成要件を全て含み、更に他の要件を付加したものに相当する本願補正発明が、前記「第２［理由］４．」に記載したとおり、刊行物１及び刊行物２に記載された発明に基づいて、当業者が容易に発明をすることができたものであるから、本願発明も、同様の理由により刊行物に記載された発明に基づいて当業者が容易に発明をすることができたものである。　
　
４．むすび　
　以上のとおり、本願の請求項１に係る発明は、特許法第２９条第２項の規定により特許を受けることができないものである。　
　したがって、その余の請求項について論及するまでもなく、本願は、拒絶すべきものである。　
　よって、結論のとおり審決する。